(57)【特許請求の範囲】
【請求項１】
帳票上に、住所・氏名等の宛名情報と算用数字による郵便番号情報、および仕分け用のバーコード生成のために住所コード情報を印字出力し、前記帳票上に印字出力された前記住所コード情報を読取り、この住所コード情報に対応するバーコードを生成して高精細なバーコードプリンタで印字するバーコード印字方法であり、前記住所コード情報は、前記バーコード生成のためにコード変換プログラムにより変換され、宛名情報に基づく住所コード情報と前記コード変換プログラムにより変換されたバーコードとが対応していることを特徴とする郵便番号による仕分け用バーコード印字方法。
【請求項２】
帳票上に住所・氏名等の宛名情報と算用数字による郵便番号情報、および仕分け用のバーコード生成のために宛名情報に基づく住所コード情報を印字するステップと、
前記帳票から封書を作成するステップと、
作成された前記封書の宛名部分から前記住所コード情報を光学的機械読み取り装置によって読み取るステップと、
前記住所コード情報に対応するバーコードを、バーコード生成のためにコード変換プログラムによる前記住所コード情報の変換により生成するステップと、
生成された前記バーコードを前記封書に高精細なバーコードプリンタで印字するステップと、
を有する郵便番号による仕分け用バーコード印字方法。
【発明の詳細な説明】
【０００１】
【発明の属する技術分野】
本発明は、郵便番号とそれとは別に機械的に仕分けを行うバーコードを郵便物に付与する仕分け用バーコード印字方法に関する。
【０００２】
【従来の技術】
郵便物は、従来仕分けのために５桁の郵便番号が付与され、郵便局でこの５桁の郵便番号を読みとり仕分け配達されていたが、人力に依存する割合が高く効率的ではなかった。そこで、郵便番号を７桁にした上、仕分けを確実に行うために仕分け用バーコードを付与することが郵政省等から提案されている。
【０００３】
しかし、仕分け用バーコードは、住所、氏名等の宛名情報とともに印字した場合、印字精度が悪いと読み取りができなかったりあるいは、住所、氏名等の宛名情報を付与した郵送物が窓開き封筒に封入され、この窓から宛名情報と仕分け用バーコードを表出させるようにした場合、仕分け用バーコードの全体が完全に表出しないために仕分けができないなどの問題があった。
【０００４】
【発明が解決しようとする課題】
そこで、窓開き封書を利用する場合、窓全体の開口面積が広めのもの選択するとともに、窓開き封書を利用しない場合も含めプリンタの精度がよいものと交換すること等を試みたが、まず窓開き封書を利用する場合は、窓開き封書を特別に制作しなくてはならない上、封入物に住所、氏名等の宛名情報とともに仕分け用バーコードを印字する事はデザイン上の制約を受けあまり好ましくはない。また、システムが大きい場合、精度のよいプリンタに交換することは設備費用がかかりすぎる問題がある。本発明は、郵便物が封書であっても葉書であっても仕分け用バーコードを住所、氏名等の宛名情報と算用数字からなる郵便番号とともに郵便物に体裁良く付与し、確実に読み取りが行われ仕分けが行える精度の良い仕分け用バーコード印字方法を提供することを目的とするものである。
【０００５】
【問題を解決するための手段】
上記目的を達成するためになされた本発明は、帳帳票上に、住所・氏名等の宛名情報と算用数字による郵便番号情報、および仕分け用のバーコード生成のために住所コード情報を印字出力し、前記帳票上に印字出力された前記住所コード情報を読取り、この住所コード情報に対応するバーコードを生成して高精細なバーコードプリンタで印字するバーコード印字方法であり、前記住所コード情報は、前記バーコード生成のためにコード変換プログラムにより変換され、宛名情報に基づく住所コード情報と前記コード変換プログラムにより変換されたバーコードとが対応していることを特徴とする郵便番号による仕分け用バーコード印字方法である。
また、もう一つの発明は、帳票上に住所・氏名等の宛名情報と算用数字による郵便番号情報、および仕分け用のバーコード生成のために宛名情報に基づく住所コード情報を印字するステップと、前記帳票から封書を作成するステップと、作成された前記封書の宛名部分から前記住所コード情報を光学的機械読み取り装置によって読み取るステップと、前記住所コード情報に対応するバーコードを、バーコード生成のためにコード変換プログラムによる前記住所コード情報の変換により生成するステップと、生成された前記バーコードを前記封書に高精細なバーコードプリンタで印字するステップと、を有する郵便番号による仕分け用バーコード印字方法である。
【０００６】
【発明の実施の形態】
つぎに本発明を図１に示す実施の形態に基づいて詳細に説明する。
図１は封書発行に関わる郵便番号による仕分け用バーコード印字方法１の構成を示すもので、この仕分け用バーコード印字方法１では顧客データベース２と図示していないが宛名情報や通知情報などを封書となる帳票に出力するプリンタと前記帳票から作成された封書に対してバーコードプリンタ３とを備えているものである。そして、前記顧客データベース２は複数の顧客情報を蓄積記録しているものであり、蓄積記録されている顧客情報それぞれは顧客氏名や顧客住所、顧客住所の郵便番号情報などからなるものであり、通常の顧客管理業務を行う上で稼働させているデータベースが使用される。この顧客データベース２では、近年実施されるようになってきた郵便番号の７桁化に対応するように顧客情報における５桁郵便番号情報を７桁郵便番号情報に変換出力する郵便番号情報変換が行えるように設けられている。さらに、この顧客データベース２では、前記顧客情報における顧客の宛名情報に基づいて、７桁郵便番号が対応している町域名や地番、アパート名などに対応する住所コード情報を生成出力するようにした住所コード生成２０が行えるように設けられている。
【０００７】
上記構成の郵便番号による仕分け用バーコード印字方法１により封書に仕分け用のバーコードを印字するに当たっては、まず、通常の宛名情報及び通知情報を帳票に出力する場合と同じように、上述した通常のプリンタを用いながら上記顧客データベース２から顧客情報に基づく宛名情報が文字として印字され、郵便番号情報が算用数字として、さらに、生成された住所コード情報を帳票に印字ａする帳票印刷Ａが行われる。即ち、従来から行われている通常のプリンタを用いた宛名印字の形態に住所コード情報の印字ａが一緒に出力させるものとなっている。
つぎに、郵便番号、宛名情報、住所コード情報が宛名部分に印字された帳票から封書作成Ｂが行われる。そして、作成された封書の宛名部分から前記住所コード情報が光学的機械読み取り装置によって読み取られ、住所コード情報に対応するバーコードを生成してそのバーコードを封書に印字Ｃする工程となる。即ち、この印字Ｃの段階では、読み取った住所コード情報をコード変換プログラムにより変換してバーコードを生成するものであり、そのバーコードを高精細なバーコードプリンタ３により印字するようにしている。そして、バーコードが印字された封書は発送Ｄへの段階へと送り出されるようにしている。
【０００８】
【発明の効果】
以上説明した本発明によれば、帳票上に出力された住所コード情報に基づいてその帳票からなる封書上に仕分け用のためのバーコードを出力するようにしており、このバーコードの出力に際して高精細のプリンタ装置を郵便物の作成発送ライン上に組み入れることで極めて印字精度に優れたバーコードを封書上に得ることができ、また、通常の宛名情報などを出力するプリンタの高精度化を図る必要もなく、ライン全体の設備コストを大幅に引き上げることなく精細なバーコードの印字が行え、仕分けに際しての読み取りが確実となるバーコードを備えた郵便物を発行できるようになるなど、実用性に優れた効果を奏するものである。
【図面の簡単な説明】
【図１】  本発明に係る郵便番号による仕分け用バーコード印字方法の一例を示す説明図である。
【符号の説明】
１…郵便番号による仕分け用バーコード印字方法
２０…住所コード情報の生成
ａ…住所コード情報の印字
３…バーコードプリンタ
Ａ…帳票印刷
Ｂ…封書作成
Ｃ…バーコード印字
【図１】
0003836957.tif 000002